(57)【要約】【課題】施工作業においてパイプ抱持バンドを仮保持されるようにでき、その結果、作業性を向上させることができるパイプ抱持バンドを提供する。【解決手段】パイプ抱持バンド１０は、回動軸１１を有して回動動作により開閉自在としたパイプ抱持部１２と、パイプ抱持部１２の遊端より延出した一対の取付片部１３、１３とを備え、一対の取付片部１３、１３が壁面２より突出した取付杆３を挟み込んだ状態でボルト１７、ナット１８で取付杆３に固定され、一対の取付片部１３、１３の一片には、取付杆３に引っ掛ける引っ掛け片１４が形成されている【選択図】図１
2015064045.tif 000002
【特許請求の範囲】
【請求項１】
回動軸を有して回動動作により開閉自在としたパイプ抱持部と、該パイプ抱持部の遊端より延出した一対の取付片部とを備え、該一対の取付片部が壁面より突出した取付杆を挟み込んだ状態でボルト、ナットで該取付杆に固定されるパイプ抱持バンドにおいて、
前記一対の取付片部の一片には、前記取付杆に引っ掛ける引っ掛け片が形成されていることを特徴とするパイプ抱持バンド。
【請求項２】
請求項１において、
前記一対の取付片部の他片は、前記引っ掛け片に対応した部位が切り欠かれていることを特徴とするパイプ抱持バンド。
【請求項３】
請求項１または２において、
前記パイプ抱持部と前記一対の取付片部とよりなるバンド体は、一対の２つ割バンド体を連結してなり、
前記一対の２つ割バンド体は、それらのうちの一方に係合突部が形成され、他方に係合受部が形成され、前記係合突部と前記係合受部との係合により前記回動軸を形成して連結され、係合解除により分離されるようになっていることを特徴とするパイプ抱持バンド。
【発明の詳細な説明】
【技術分野】
【０００１】
本発明は、建築物の壁面に沿って配されるパイプを抱持、支持するパイプ抱持バンドに関する。
【背景技術】
【０００２】
この種のパイプ抱持バンドは、回動軸を有して回動動作により開閉自在としたパイプ抱持部と、パイプ抱持部の遊端より延出した一対の取付片部とを備え、その取付片部が壁面より突出した取付杆にボルト止めされ、固定されるようになっている（たとえば、特許文献１参照）。
【０００３】
特許文献１に示すように、この種のパイプ抱持バンドは、パイプ抱持部でパイプを抱持した状態で、一対の取付片部が取付杆を挟み込み、ボルト、ナットでボルト止めされ、取付杆に固定される。そうして、パイプはしっかりと壁面に固定される。
【先行技術文献】
【特許文献】
【０００４】
【特許文献１】特開２０００−３２００９６号公報
【発明の概要】
【発明が解決しようとする課題】
【０００５】
しかしながら、従来のこの種のパイプ抱持バンドの取付作業では、補助作業者が作業中に、パイプ抱持バンドとパイプとを保持していなければならず、作業性がよいとはいえない。
【０００６】
また、一方の取付片部と、取付杆とをボルト挿通により、パイプ抱持バンドを仮保持しておくことはできるが、その仮保持が完了するまでの間は、やはり手でパイプ抱持バンドを保持しておく必要がある。
【０００７】
このように、従来のパイプ抱持バンドによるパイプ取付作業は、一人ではしづらく、二人で作業することが一般的であった。
【０００８】
本発明は、このような問題を解決すべく提案されたもので、その目的は、施工作業においてパイプ抱持バンドを仮保持されるようにでき、その結果、作業性を向上させることができるパイプ抱持バンドを提供することにある。
【課題を解決するための手段】
【０００９】
上記目的を達成するために、請求項１に記載のパイプ抱持バンドは、回動軸を有して回動動作により開閉自在としたパイプ抱持部と、該パイプ抱持部の遊端より延出した一対の取付片部とを備え、該一対の取付片部が壁面より突出した取付杆を挟み込んだ状態でボルト、ナットで該取付杆に固定されるパイプ抱持バンドにおいて、一対の取付片部の一片には、取付杆に引っ掛ける引っ掛け片が形成されていることを特徴とする。
【００１０】
請求項２に記載のパイプ抱持バンドは、一対の取付片部の他片は、引っ掛け片に対応した部位が切り欠かれていることを特徴とする。
【００１１】
請求項３に記載のパイプ抱持バンドは、パイプ抱持部と一対の取付片部とよりなるバンド体は、一対の２つ割バンド体を連結してなり、一対の２つ割バンド体は、それらのうちの一方に係合突部が形成され、他方に係合受部が形成され、係合突部と係合受部との係合により回動軸を形成して連結され、係合解除により分離されるようになっていることを特徴とする。
【発明の効果】
【００１２】
請求項１に記載のパイプ抱持バンドによれば、上述の構成となっているため、パイプの設置作業において、一方の取付片部を取付杆に引っ掛けて仮保持させることができる。その結果、作業者は一人で、かつ効率的にパイプの取付作業を行うことができる。
【００１３】
請求項２に記載のパイプ抱持バンドによれば、一対の取付片部の他片は引っ掛け片に対応した部位が切り欠かれているため、引っ掛け片の他の部位との干渉を回避でき、パイプ抱持バンドをスムースに取り付けることができる。
【００１４】
請求項３に記載のパイプ抱持バンドによれば、両２つ割バンド体のうちの一方に形成された係合突部と、他方に形成された係合受部との係合により回動軸を形成する構成となっているため、蝶番部材などの別部材を必要とせず、簡易な構造、形状にパイプ抱持バンドを構成することができる。また、両２つ割バンド体は分離も容易にできるため、パイプの施工作業において、結合させた状態で取り付けることも、片方ずつ取り付けることもでき、簡易な取付作業を現場で選択することができる。
【図面の簡単な説明】
【００１５】
【図１】（ａ）は、本発明の一実施形態に係るパイプ抱持バンドの分解斜視図である。（ｂ）は、パイプ抱持バンドを構成する両２つ割バンド体の結合部分の拡大斜視図である。
【図２】（ａ）〜（ｄ）は、パイプ抱持バンドの取付手順を示す平面図である。
【発明を実施するための形態】
【００１６】
以下に、本発明の実施の形態について、添付図面を参照して説明する。
図１および図２は、本発明の一実施形態に係るパイプ抱持バンドの説明図である。
【００１７】
本パイプ抱持バンド１０は、図１（ａ）に示すように帯状をなしており、回動軸１１を有して回動動作により開閉自在とした湾曲帯状のパイプ抱持部１２と、パイプ抱持部１２の遊端より延出した一対の取付片部１３、１３とよりなる。
【００１８】
このパイプ抱持バンド１０は、壁面２に取り付けた取付杆３に対して、取り付け、固定される。
【００１９】
取付杆３は、２つのボルト挿通孔３ｄ、３ｄを有した板状の杆本体３ａと、壁面２（図２参照）にねじ込み固定される基端部３ｂと、壁面２に当接または押圧されて杆本体３ａのぐらつきを防止する鍔部３ｃとを有している。ボルト挿通孔３ｄ、３ｄは、後述するパイプ抱持バンド１０のボルト挿通孔１３ａ、１３ａに合致した位置に設けてあればよい。また、２つのボルト挿通孔３ｄ、３ｄに代えて、パイプ抱持バンド１０のボルト挿通孔１３ａ、１３ａの両方に重合できる１つの長孔を設けてもよい。
【００２０】
図１（ａ）の図例は、パイプ１を壁面２に沿わせて上下に配設する例であり、取付杆３は、図例のように、ボルト挿通孔３ｄ、３ｄが横方向を向くように、壁面２に取り付けられている。
【００２１】
パイプ抱持バンド１０は、一対の取付片部１３、１３が、壁面２（図２参照）より突出した取付杆３の杆本体３ａを挟み込んだ状態でボルト１７、１７、ナット１８、１８で取付杆３に固定されて、パイプ１をぐらつきなく固定できるようになっている（図２（ｄ）参照）。
【００２２】
パイプ抱持部１２は、閉じた状態では平面視で略円形状をなしており、その略円形状のバンド体により、横断面が略円形状のパイプ１を抱持できるようになっている。
【００２３】
一対の取付片部１３、１３の両片は略矩形の平板形状とされ、それぞれには、相互に合致する２箇所にボルト挿通孔１３ａ、１３ａが開設されている。一対の取付片部１３、１３のうちの一片には、取付杆３の杆本体３ａに引っ掛ける引っ掛け片１４が形成されている。また、一対の取付片部１３、１３のうちの他片には、一対の取付片部１３、１３で取付杆３を挟み込んだときに引っ掛け片１４との干渉を回避する切欠き部１５が形成されている。
【００２４】
また、このパイプ抱持バンド１０は、分離可能な２つ割バンド体２０、２０を結合してなる。両２つ割バンド体２０、２０をヒンジ結合することで、パイプ１を抱持することのできる開閉自在なバンド体を構成している。
【００２５】
すなわち、いずれの２つ割バンド体２０、２０にも、パイプ抱持部１２を構成する半円形状の抱持部２１と、一対の取付片部１３、１３のうちの一片とが形成されている。なお、抱持部２１、２１は半円形状でなくてもよく、２つの抱持部２１、２１で円形を形成すればよい。また、両２つ割バンド体２０、２０が結合してパイプ１を抱持できる形状であれば、どのような形状であってもよい。
【００２６】
また、図１（ｂ）に示すように、一方の２つ割バンド体２０の抱持部２１の端部（図例の場合、前端）には係合突部２１ａが形成され、他方の２つ割バンド体２０の抱持部２１の端部には係合突部２１ａを受け入れる開口を有した係合受部２１ｂが形成されている。一対の２つ割バンド体２０、２０は、係合突部２１ａと係合受部２１ｂとの係合により回動軸１１を形成して連結され、係合解除により分離されるようになっている。
【００２７】
なお、本実施形態の例では、引っ掛け片１４を有した２つ割バンド体２０に係合受部２１ｂが形成され、切欠き部１５を有した２つ割バンド体２０に係合突部２１ａが形成されているが、引っ掛け片１４を有した２つ割バンド体２０に係合突部２１ａを形成し、切欠き部１５を有した２つ割バンド体２０に係合受部２１ｂを形成したものでもよい。
【００２８】
このようなパイプ抱持バンド１０は、たとえば図２（ａ）〜（ｄ）に示す手順で取り付けられる。
【００２９】
まず、引っ掛け片１４を有したほうの２つ割バンド体２０を、引っ掛け片１４を取付杆３の杆本体３ａに引っ掛けることで、一方の２つ割バンド体２０が取付杆３に吊り下げられて仮保持された状態にする（図２（ａ）、（ｂ）参照）。このとき、取付片部１３のボルト挿通孔１３ａ、１３ａが取付杆３のボルト挿通孔３ｄ、３ｄに重合するように位置合わせしておくことが望ましい。
【００３０】
このように、一方の２つ割バンド体２０は引っ掛け片１４により取付杆３に保持されるので、作業者は一方の２つ割バンド体２０を手離し状態にすることができ、その後、作業者は両手を使って、重合されたボルト挿通孔１３ａ、３ｄにボルト１７を挿通することができる（図２（ｂ）参照）。このようにボルト１７を通して、２つ割バンド体２０をさらに確実な仮保持状態にしておけば、その後の作業において、その２つ割バンド体２０が滑り落ちることをほぼ確実に防止することができる。突出したボルト１７、１７の軸部に脱落防止部材（不図示）を取り付けて、さらに２つ割バンド体２０の脱落を防止するようにしてもよい。
【００３１】
そして、仮保持された２つ割バンド体２０の抱持部２１の内側にパイプ１をあてがい、ついで係合突部２１ａと係合受部２１ｂとの係合により、仮保持状態にある２つ割バンド体２０に他方の２つ割バンド体２０を連結し、後付けした２つ割バンド体２０を回動させ、パイプ抱持部１２を閉じて、両２つ割バンド体２０、２０でパイプ１を挟み込むようにする。
【００３２】
その回動作業により、合体されたパイプ抱持部１２がパイプ１を抱持するとともに、他方の２つ割バンド体２０の取付片部１３のボルト挿通孔１３ａ、１３ａが、挿通状態にあるボルト１７、１７に挿通される。そして、ボルト挿通孔１３ａ、１３ａより突出したボルト１７、１７の軸部にナット１８、１８を螺着することでパイプ抱持バンド１０が固定され、同時にパイプ１も固定される。
【００３３】
以上のように、一方の２つ割バンド体２０の取付片部１３に引っ掛け片１４が形成されているので、パイプ抱持バンド１０の取り付けを効率的に行うことができる。一方の２つ割バンド体２０は手を離して仮保持状態にできるので、他の作業者に手伝ってもらう必要がなく、一人で効率的に取付作業をすることができる。
【００３４】
また、パイプ抱持バンド１０は、結合、分離自在な一対の２つ割バンド体２０、２０よりなるため、図２の例のように、２つ割バンド体２０、２０を１つずつ取り付けるように作業すればよい。その結果、他方の２つ割バンド体２０がぐらついた状態で作業しなくてもよく、効率よく作業することができる。
【００３５】
もちろん、両２つ割バンド体２０、２０を結合させてからパイプ１の取付作業をしてもよい。作業者は自分に合った効率的に作業できる、いずれかの方法で取付作業をすればよい。
【００３６】
本実施形態のパイプ抱持バンド１０は、両２つ割バンド体２０、２０を分離できる係合回動構造としたが、軸ピンにより容易に分離できないように結合された回動構造を有したものであってもよい。
【符号の説明】
【００３７】
１０        パイプ抱持バンド
１１        回動軸
１２        パイプ抱持部
１３        取付片部
１３ａ      ボルト挿通孔
１４        引っ掛け片
１５        切欠き部
１７        ボルト
１８        ナット
２０        ２つ割バンド体
２１        抱持部
２１ａ      係合突部
２１ｂ      係合受部
１          パイプ
２          壁面
３          取付杆
３ａ        杆本体
３ｂ        基端部
３ｃ        鍔部
３ｄ        ボルト挿通孔
【図１】
2015064045.tif 000003
【図２】
2015064045.tif 000004
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
回動軸を有して回動動作により開閉自在としたパイプ抱持部と、該パイプ抱持部の遊端より延出した一対の取付片部とを備え、該一対の取付片部が壁面より突出した取付杆を挟み込んだ状態でボルト、ナットで該取付杆に固定されるパイプ抱持バンドにおいて、
前記一対の取付片部の一片には、前記取付杆に引っ掛ける引っ掛け片が形成されている一方、前記一対の取付片部の他片には、前記引っ掛け片に対応した部位に、前記引っ掛け片との干渉を回避する切欠き部が形成されていることを特徴とするパイプ抱持バンド。
【請求項２】
請求項１において、
前記パイプ抱持部と前記一対の取付片部とよりなるバンド体は、一対の２つ割バンド体を連結してなり、
前記一対の２つ割バンド体は、それらのうちの一方に係合突部が形成され、他方に係合受部が形成され、前記係合突部と前記係合受部との係合により前記回動軸を形成して連結され、係合解除により分離されるようになっていることを特徴とするパイプ抱持バンド。
【手続補正２】
【補正対象書類名】明細書
【補正対象項目名】０００９
【補正方法】変更
【補正の内容】
【０００９】
上記目的を達成するために、請求項１に記載のパイプ抱持バンドは、回動軸を有して回動動作により開閉自在としたパイプ抱持部と、該パイプ抱持部の遊端より延出した一対の取付片部とを備え、該一対の取付片部が壁面より突出した取付杆を挟み込んだ状態でボルト、ナットで該取付杆に固定されるパイプ抱持バンドにおいて、一対の取付片部の一片には、取付杆に引っ掛ける引っ掛け片が形成されている一方、一対の取付片部の他片には、引っ掛け片に対応した部位に、引っ掛け片との干渉を回避する切欠き部が形成されていることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に記載のパイプ抱持バンドは、パイプ抱持部と一対の取付片部とよりなるバンド体は、一対の２つ割バンド体を連結してなり、一対の２つ割バンド体は、それらのうちの一方に係合突部が形成され、他方に係合受部が形成され、係合突部と係合受部との係合により回動軸を形成して連結され、係合解除により分離されるようになっていることを特徴とする。
【手続補正５】
【補正対象書類名】明細書
【補正対象項目名】００１３
【補正方法】変更
【補正の内容】
【００１３】
また、一対の取付片部の他片は引っ掛け片に対応した部位に切欠き部が形成されているため、引っ掛け片の他の部位との干渉を回避でき、パイプ抱持バンドをスムースに取り付けることができる。
【手続補正６】
【補正対象書類名】明細書
【補正対象項目名】００１４
【補正方法】変更
【補正の内容】
【００１４】
請求項２に記載のパイプ抱持バンドによれば、両２つ割バンド体のうちの一方に形成された係合突部と、他方に形成された係合受部との係合により回動軸を形成する構成となっているため、蝶番部材などの別部材を必要とせず、簡易な構造、形状にパイプ抱持バンドを構成することができる。また、両２つ割バンド体は分離も容易にできるため、パイプの施工作業において、結合させた状態で取り付けることも、片方ずつ取り付けることもでき、簡易な取付作業を現場で選択することができる。